(57)【要約】    【課題】  一時的な実験段階に於いて、接合面に凹凸部を有した導波管であっても、接続及び取外しが容易にできる構造を提供する。    【解決手段】  導波管１端部に設けられたフランジ部２を介して導波管を接続する導波管接続構造に於いて、接合した２つの前記フランジ部の２箇所をそれぞれフランジクリップ具９によって挾持し、該フランジクリップ具は開閉可能な挾持片２３と、該挾持片を閉方向に付勢するバネ部材１７と、前記挾持片に設けられ、前記フランジ部に穿設されたボルト締結用孔に嵌脱可能な係合ピンとを有する。    【選択図】          図５
2010021923.tif 000002
【特許請求の範囲】
【請求項１】
導波管端部に設けられたフランジ部を介して導波管を接続する導波管接続構造に於いて、接合した２つの前記フランジ部の２箇所をそれぞれフランジクリップ具によって挾持し、該フランジクリップ具は開閉可能な挾持片と、該挾持片を閉方向に付勢するバネ部材と、前記挾持片に設けられ、前記フランジ部に穿設されたボルト締結用孔に嵌脱可能な係合ピンとを有することを特徴とする導波管接続構造。
【発明の詳細な説明】
【技術分野】
【０００１】
本発明は導波管の一時的な実験段階での接続構造に関するものである。
【背景技術】
【０００２】
導波管は、矩形断面中空管であり、マイクロ波からミリ波に及ぶ周波数領域に於ける電磁波の伝播路として使用されるものである。
【０００３】
先ず、図１４に於いて、従来の導波管の一時的な実験段階での接続構造を説明する。
【０００４】
導波管１の端部にはフランジ部２が設けられており、前記導波管１，１同士は前記フランジ部２，２を介して接続される。該フランジ部２にはガイドピン３と、対向するフランジ部２のガイドピン３が嵌合されるガイド孔４と、ネジ５で止める為のネジ孔６を有している。
【０００５】
前記導波管１，１同士の接続は、前記フランジ部２の接合面が形成された凸部７で接合させ、前記ガイドピン３を前記ガイド孔４に嵌入し、位置決めをした後、前記ネジ５とナット８で締結する構造となっている。
【０００６】
然し乍ら、一時的な実験段階では、接続、離脱の頻度が高く、その都度ネジの締結及び取外しを行わなければならない為、作業が著しく繁雑となり、本来の実験作業以上の時間を消費するという問題があった。更に、ミリ波帯の導波管接続部に関しては、接続部も小型化する為、ネジの締結及び取外しには上記の問題がより顕著になることがあった。
【０００７】
尚、一時的な実験段階に於ける前記導波管１の接続構造を持つ導波管締結クランパとして、特許文献１に示されるものがある。
【０００８】
【特許文献１】特開平３−８５９０１号公報
【０００９】
特許文献１の導波管の接続構造を図１５〜図１７に示す。
【００１０】
特許文献１の導波管接続に用いるフランジクリップ具９は、板材を屈曲形成して成る１対の平板部１１、該平板部１１，１１に連続する板ばね部１２、及び線条材をコの字状に形成した外力加除部材１３から成っており、前記板ばね部１２の中心部には嵌合スリット１４が穿設されている。該嵌合スリット１４に前記導波管１を挿通させ、前記フランジ部２を前記平板部１１，１１で挾持して接続する構造となっている。
【００１１】
然し乍ら、特許文献１の接続構造は、作用点が１箇所であるので、前記フランジ部２に前記凸部７がある場合には、作用点の反対側が浮いてしまい、適正に接続できない。その為、特許文献１の接続構造に於いては、前記フランジ部２の接合面がフラットである必要があった。  
【発明の開示】
【発明が解決しようとする課題】
【００１２】
本発明は斯かる実情に鑑み、一時的な実験段階に於いて、接合面に凹凸部を有した導波管であっても、接続及び取外しが容易にできる構造を提供するものである。
【課題を解決するための手段】
【００１３】
本発明は、導波管端部に設けられたフランジ部を介して導波管を接続する導波管接続構造に於いて、接合した２つの前記フランジ部の２箇所をそれぞれフランジクリップ具によって挾持し、該フランジクリップ具は開閉可能な挾持片と、該挾持片を閉方向に付勢するバネ部材と、前記挾持片に設けられ、前記フランジ部に穿設されたボルト締結用孔に嵌脱可能な係合ピンとを有する導波管接続構造に係るものである。
【発明の効果】
【００１４】
本発明によれば、導波管端部に設けられたフランジ部を介して導波管を接続する導波管接続構造に於いて、接合した２つの前記フランジ部の２箇所をそれぞれフランジクリップ具によって挾持し、該フランジクリップ具は開閉可能な挾持片と、該挾持片を閉方向に付勢するバネ部材と、前記挾持片に設けられ、前記フランジ部に穿設されたボルト締結用孔に嵌脱可能な係合ピンとを有するので、一時的な実験段階の使用に於いては、前記導波管のフランジ部が凸凸及び凹凸であっても容易に接続及び取外しができ、更にネジやナットを用いない為、実験段階に於いての接続及び取外しにかかる時間を著しく短縮することができるという優れた効果を発揮する。
【発明を実施するための最良の形態】
【００１５】
以下、図面を参照しつつ本発明を実施する為の最良の形態を説明する。
【００１６】
図１〜図６に於いて、本発明の第１の実施の形態の第１の使用例を説明する。尚、図１〜図６中、図１４中で示したものと同等のものには同符号を付し、又、図５、図６中、同等のものに関しては符号を省略している。
【００１７】
導波管１が端部にフランジ部２を有する。該フランジ部２にはフランジ部２，２同士をボルトによって合体させる為のボルト挿通用のネジ孔６が穿設されている。前記導波管１を最終的に接続する場合は、前記フランジ部２を接合させた状態で前記ネジ孔６にボルトを挿通して締結する。前記導波管１を一時的に接合するには、前記フランジ部２を１対のフランジクリップ具９，９によって挾持する。該フランジクリップ具９，９とは同一機構であるので、以下、フランジクリップ具９について説明する。
【００１８】
前記導波管１を前記フランジ部２を介して接続する前記フランジクリップ具９は、結合軸１５を介して回転自在に連結された１対のクリップ１６，１６、及び該クリップ１６，１６間に設けられたばね１７から成るクリップ部１８と、Ｌ字板金１９、ネジ２１、ナット２２、挾持片２３、ピン固着ネジ２４、位置決めピン２５から成るクランプ部２６によって構成されている。又、前記フランジクリップ具９は前記クリップ１６を力点、前記位置決めピン２５側の前記挾持片２３を作用点として、前記結合軸１５を中心とした回転構造となっている。
【００１９】
前記フランジクリップ具９は、前記ばね１７の弾性により前記クリップ１６を開方向に付勢され、前記結合軸１５を介して前記Ｌ字板金１９を閉方向に付勢する構造を有している。該Ｌ字板金１９は板金の一端を前記クリップ部１８の角度に合わせて鋭角に折曲げ、他端を反対方向に直角に折曲げたクランク形状をしている。
【００２０】
前記Ｌ字板金１９の鋭角部１９ａは、前記クリップ部１８に固着されており、直角部１９ｂは前記挾持片２３の一端と前記ネジ２１と前記ナット２２で締結されている。前記挾持片２３の他端部には前記位置決めピン２５が前記ピン固着ネジ２４により固着されている。尚、前記位置決めピン２５の一端にボルト部を形成し、前記挾持片２３に直接螺着させてもよい。
【００２１】
上記で述べた前記フランジクリップ具９の使用例を以下に示す。
【００２２】
凸部７を有した１対の前記フランジ部２，２に於いて、ガイドピン３を互いの前記ガイド孔４に挿入して、前記フランジ部２，２を当接させる。
【００２３】
前記導波管１，１同士を接続する場合には、前記フランジクリップ具９の前記クリップ１６に外力を加えることで、前記結合軸１５を介して前記挾持片２３が開方向に回動し、該挾持片２３と共に前記位置決めピン２５も開く。
【００２４】
開いた該位置決めピン２５を、前記ネジ孔６の位置に合わせ、外力を取除くことで前記挾持片２３が閉方向に回動し、前記位置決めピン２５が前記ネジ孔６に挿入され、閉じた前記挾持片２３が、前記フランジ部２を挾持する。又、中心に関して対称の位置にある前記ネジ孔６に対しても同様に、前記フランジクリップ具９を用いて前記位置決めピン２５を挿入し、前記挾持片２３で挾持することで、ネジ、ナットを使用せずに容易に前記導波管１，１同士を接続する構造を実現している。前記位置決めピン２５を前記ネジ孔６に挿入し、固定している為、何らかの衝撃を受けた場合でも、前記フランジクリップ具９が前記フランジ部２からずれたり外れたりすることはない。
【００２５】
前記フランジクリップ具９を１つだけ用いた場合には、作用点が１箇所となり、作用点の反対側が浮いて適正に前記導波管１，１同士を接続できないので、前記フランジクリップ具９を２つ用いて中心に関し対称な位置の２箇所で固定する。
【００２６】
前記導波管１，１同士の接続を外す場合には、前記クリップ１６に外力を加えて前記挾持片２３を開方向に回動させ、前記位置決めピン２５を前記ネジ孔６から抜脱することで、前記フランジクリップ具９を前記フランジ部２から取外す。対面に取付けた前記フランジクリップ具９に対しても同様に、前記クリップ１６に外力を加え、前記位置決めピン２５を前記ネジ孔６から抜脱し、前記フランジ部２から取外すことで、前記導波管１，１同士を接続していたものが取外され、容易に前記導波管１，１同士の接続を解除することができる。
【００２７】
次に、図７〜図９に於いて本発明の第１の実施の形態の第２の使用例について説明する。尚、図７〜図９中、図１〜図６で示したものと同等のものには同符号を付し、その説明を省略する。
【００２８】
第２の使用例に於ける前記フランジ部２，２の接合面は、前記一方のフランジ部２には前記凸部７が形成され、前記他方のフランジ部２ではフラット面２７となっている。
【００２９】
第２の使用例に於いても、第１の使用例と同様の手順で前記導波管１，１同士の接続、離脱を行うことができる。
【００３０】
次に、図１０〜図１２に於いて本発明の第１の実施の形態の第３の使用例について説明する。尚、図１０〜図１２中、図１〜図６で示したものと同等のものには同符号を付し、その説明を省略する。
【００３１】
第３の使用例に於ける前記フランジ部２，２の接合面は、前記一方のフランジ部２には前記凸部７が形成され、前記他方のフランジ部２では凹部２８が形成されており、前記フランジ部２，２が互いに嵌合している。
【００３２】
第３の使用例に於いても、第１の使用例、第２の使用例と同様の手順で前記導波管１，１同士の接続、取外しを行うことができる。
【００３３】
次に、図１３に於いて、第２の実施の形態を示す。尚、図１３中、図１〜図６で示したものと同等のものには同符号を付し、その説明を省略する。
【００３４】
第２の実施の形態に於けるフランジクリップ具９は、結合軸１５、クリップ１６、ばね１７と、挾持片２３、位置決めピン２５によって構成されている。又、前記フランジクリップ具９は前記クリップ１６を力点、前記位置決めピン２５側の前記挾持片２３を作用点として、前記結合軸１５を中心とした回転構造となっている。
【００３５】
前記フランジクリップ具９は、前記ばね１７の弾性を利用して前記クリップ１６を開方向に付勢し、前記結合軸１５を介して前記挾持片２３を閉方向に付勢する構造を有している。又、前記ばね１７は圧縮コイルスプリングであり、前記位置決めピン２５は一端にボルト部が形成され、該ボルト部は前記挾持片２３に直接螺着されている。
【００３６】
第２の実施の形態に於ける前記フランジクリップ具９を用いた前記導波管１，１同士の接続方法は、第１の実施の形態と同様である。前記クリップ１６に外力を加えることにより、前記挾持片２３及び該挾持片２３に螺着した前記位置決めピン２５が開方向に回動する。
【００３７】
開いた該位置決めピン２５をネジ孔６の位置に合わせ、外力を取除くことで、前記挾持片２３が閉方向に回動し、前記位置決めピン２５が前記ネジ孔６に挿入される。中心に関して対称な位置にある該ネジ孔６に対しても前記フランジクリップ具９で固定することで、フランジ部２，２は前記フランジクリップ具９によって挾持され、前記導波管１，１同士が接続される。
【００３８】
該導波管１，１同士を取外す場合は、前記クリップ１６に外力を加え、前記位置決めピン２５を前記ネジ孔６から抜脱する。対面の前記フランジクリップ具９も取外すことで、前記導波管１，１同士を接続していたものが取外され、該導波管１，１同士の接続が解除される。
【００３９】
上記の様に、第２の実施の形態に於いても、ネジ、ナットを使用せずに容易に前記導波管１，１同士を接続、離脱させる構造を実現している。
【００４０】
尚、前記フランジ部２の接合面がフラットな１対の前記導波管１，１同士を接続、離脱させる場合でも、容易に接続、離脱できる構造を有しているのは言う迄もない。
【図面の簡単な説明】
【００４１】
【図１】本発明の第１の実施の形態を示す導波管の接続構造の斜視図である。
【図２】本発明の第１の実施の形態を示す導波管の接続構造の正面図である。
【図３】本発明の第１の実施の形態の第１の使用例を示す要部拡大斜視図である。
【図４】本発明の第１の実施の形態の第１の使用例を示す要部拡大正面図である。
【図５】本発明の第１の実施の形態の第１の使用例を示す正面図である。
【図６】本発明の第１の実施の形態の第１の使用例を示す斜視図である。
【図７】本発明の第１の実施の形態の第２の使用例を示す要部拡大斜視図である。
【図８】本発明の第１の実施の形態の第２の使用例を示す要部拡大正面図である。
【図９】本発明の第１の実施の形態の第２の使用例を示す正面図である。
【図１０】本発明の第１の実施の形態の第３の使用例を示す要部拡大斜視図である。
【図１１】本発明の第１の実施の形態の第３の使用例を示す要部拡大正面図である。
【図１２】本発明の第１の実施の形態の第３の使用例を示す正面図である。
【図１３】本発明の第２の実施の形態を示す要部拡大正面図である。
【図１４】従来の導波管接続を示す斜視図である。
【図１５】特許文献１の導波管接続構造を示す斜視図である。
【図１６】特許文献１の導波管接続構造を示す側面図である。
【図１７】特許文献１の導波管接続構造を示す正面図である。
【符号の説明】
【００４２】
１              導波管
２              フランジ部
３              ガイドピン
４              ガイド孔
６              ネジ孔
７              凸部
９              フランジクリップ具
１５            結合軸
１６            クリップ
１７            ばね
１８            クリップ部
２３            挾持片
２５            位置決めピン
２６            クランプ部
２７            フラット面
２８            凹部
【図１】
2010021923.tif 000003
【図２】
2010021923.tif 000004
【図３】
2010021923.tif 000005
【図４】
2010021923.tif 000006
【図５】
2010021923.tif 000007
【図６】
2010021923.tif 000008
【図７】
2010021923.tif 000009
【図８】
2010021923.tif 000010
【図９】
2010021923.tif 000011
【図１０】
2010021923.tif 000012
【図１１】
2010021923.tif 000013
【図１２】
2010021923.tif 000014
【図１３】
2010021923.tif 000015
【図１４】
2010021923.tif 000016
【図１５】
2010021923.tif 000017
【図１６】
2010021923.tif 000018
【図１７】
2010021923.tif 000019